(57)【要約】      （修正有）【課題】身体障害者の野外活動を支援するために、トイレ施設及び休憩・医療施設を内部に設置し、自動車に搭載しかつ積降しのできるコンテナを提供する。【解決手段】コンテナー１は、スチール製の枠組を構築しかつ屋根・壁・床を形成し、また、その内部にトイレ施設２及び休憩・救急医療施設３を配設する。コンテナー１は、貨物自動車に搭載しあるいは積降しできるので、そのまま車上に配置され、あるいは、地上に降ろして配置され、内部のトイレ施設２及び休憩・救急医療施設３を身体障害者の利用に供する。【選択図】図１
0003159200.tif 000002
【実用新案登録請求の範囲】
【請求項１】
身体障害者の利用に供するトイレ施設及び休憩・救急医療施設を内部に設置し、また、貨物自動車の荷台に搭載しかつ積降しのできるコンテナーからなる身体障害者の野外活動支援装置。
【請求項２】
貨物自動車の荷台に搭載した状態で配置し、また、身体障害者の利用に供するトイレ施設及び休憩・救急医療施設を内部に設置したコンテナーを特徴とする請求項１の身体障害者の野外活動支援装置。
【請求項３】
貨物自動車の荷台から地上に降ろして配置し、また、身体障害者の利用に供するトイレ施設及び休憩・救急医療施設を内部に設置したコンテナーを特徴とする請求項１の身体障害者の野外活動支援装置。
【請求項４】
コンテナー内のトイレ施設の下部に設置したバイオ処理型の便槽を特徴とする請求項１の身体障害者の野外活動支援装置。
【請求項５】
トイレ施設及び休憩・救急医療施設を内部に設置したコンテナーを貨物自動車の荷台に配置したとき、車椅子の身体障害者の乗降を容易にするために設置した、折畳式かつ全自動型のカーリフトを特徴とする請求項１の身体障害者の野外活動支援装置。
【請求項６】
コンテナーの内外灯及びエアコンの動力を供給するために屋根に設置した、ソーラーパネルを特徴とする請求項１の身体障害者の野外活動支援装置。
【考案の詳細な説明】
【技術分野】
【０００１】  この考案は、身体障害者の野外活動を支援するために、トイレ施設及び休憩・医療施設を内部に設置し、また、自動車に搭載しかつ積降しのできるコンテナに関する装置である。
【背景技術】
【０００２】  身体障害者の社会的な参加、例えば、スポーツ・音楽等のリクレーション活動、政治的・社会的な活動は、屋内施設に限らず、屋外施設でもなされる。【０００３】  したがって、身体障害者の野外活動を支援するためには、身体障害者の健康及び用便に配慮する必要がある。休息や医療に関する健康と比べて、用便は問題となる。【０００４】  ところが、道路等の場所移動を伴う野外活動では、公園・広場等の場所の活動と比べて、仮設のトイレの設置や移動を困難とするので、用便の問題は深刻となる。【０００５】  身体障害者を自動車で公衆トイレまで搬送するとしても、野外活動の休止となり、かつ、事故発生の危険も起こるので、身体障害者の社会参加を妨げることになる。【０００６】  仮設トイレやポータブルトイレを自動車に積載するとしても、衛生上の観点から法令の制約を受けるし、かつ、自動車の乗降や周囲の状況を考慮する必要がある。【０００７】  そこで、出願人は、トイレ施設及び休憩・救急医療施設を具備する身体障害者の野外活動支援車を考案し、登録を受けている。【０００８】  これは、一方、問題を解決するが、他方、貨物自動車とトイレ施設及び休憩・救急医療施設を合わせて製造するので、コスト高を招き、一般の利用に提供されないおそれがある。
【考案の開示】
【考案が解決しようとする課題】
【０００９】  この考案が解決しようする問題点は、次の通りである。【００１０】  先ず、身体障害者の野外活動の参加を支援するために、休憩・救急医療装置及びトイレ施設を提供し、健康及び用便の問題に配慮する必要がある。【００１１】  次に、身体障害者の利用に供するために、自動車に休憩・救急医療施設及びトイレ施設を搭載したとしても、衛生関連の法令の制約を受けないことが必要である。【００１２】  更に、身体障害者は、コンテナーを搭載する貨物自動車を容易に乗降し、休憩・医療施設及びトイレ施設を簡便に利用できることが必要である。【００１３】  最後に、身体障害者の野外活動を支援するために、休憩・医療施設及びトイレ施設を搭載する自動車の製造コストを低くし、一般的な利用を図ることが必要である。
【課題を解決するための手段】
【００１４】  この考案が解決する手段は、次の通りである。【００１５】  先ず、身体障害者の利用に供するトイレ施設（２）及び休憩・救急医療施設（３）を内部に設置し、また、貨物自動車（１８）の荷台に搭載しかつ積降しのできるコンテナー（１）からなる身体障害者の野外活動支援装置である。【００１６】  次に、貨物自動車（１９）の荷台に搭載した状態で配置し、また、身体障害者の利用に供するトイレ施設（２）及び休憩・救急医療施設（３）を内部に設置したコンテナー（１）を特徴とする身体障害者の野外活動支援装置である。【００１７】  更に、貨物自動車（１９）の荷台から地上に降ろして配置し、また、身体障害者の利用に供するトイレ施設（２）及び休憩・救急医療施設（３）を内部に設置したコンテナー（１）を特徴とする身体障害者の野外活動支援装置である。【００１８】  更に、コンテナー（１）内のトイレ施設（２）の下部に設置したバイオ処理型の便槽（５）を特徴とする身体障害者の野外活動支援装置である。【００１９】  更に、トイレ施設（２）及び休憩・救急医療施設（３）を内部に設置したコンテナー（１）を貨物自動車（１９）の荷台に配置したとき、車椅子の身体障害者の乗降を容易にするために設置した、折畳式かつ全自動型のカーリフト（１７）を特徴とする身体障害者の野外活動支援装置である。【００２０】  最後に、コンテナー（１）の内外灯（２１）（２２）及びエアコン（８）の動力を供給するために、屋根に設置したソーラーパネル（２３）を特徴とする身体障害者の野外活動支援装置である。
【考案の効果】
【００２１】  この考案の効果は、次の通りである。【００２２】  先ず、身体障害者は、野外活動に参加するにあたり、トイレ施設（２）及び休憩・救急医療施設（３）を利用できるので、健康及び用便の問題を解決し、身体障害者の野外活動を支援することになる。【００２３】  身体障害者は、何時でも、どこでも、用便の問題に心配しないで、また、疲労し、あるいは、体調の崩れることを不安がらずに、野外活動に参加できる。【００２４】  次に、コンテナー（１）は、貨物自動車（１９）に搭載しかつ積降しできるので、車上に搭載したままでも、あるいは、地上に配置されても、身体障害者は、トイレ施設（２）及び休憩・救急医療施設（３）を利用できる。【００２５】  更に、コンテナー（１）を製造し、また、どの貨物自動車（１９）にもコンテナー（１）を搭載しかつ積降しできるので、コンテナー（１）を量産し製造コストを低く抑えることができる。【００２６】  更に、折畳式かつ全自動型のカーリフト（１７）を用いれば、車椅子の身体障害者でも、貨物自動車（１９）を容易に乗降できるので、トイレ施設（２）及び休憩・救急医療施設（３）を簡便に利用できる。【００２７】  最後に、コンテナー（１）は、大小便をバイオ処理する便槽（５）を用いるので、臭気がほとんど周囲に漏れないし、また、大小便を農業用肥料とするので、環境衛生の向上と資源の活用となる。
【最良の実施例】
【００２８】  この考案の最良の実施例は、次の通りである。
【００２９】  コンテナー（１）は、スチール製の枠組を構築しかつ屋根・壁・床を形成し、また、その内部をトイレ施設（２）及び休憩・救急医療施設（３）に設置したものである。
【００３０】  コンテナー（１）は、貨物自動車（１９）に搭載しあるいは積降しできるので、そのまま車上に配置され、あるいは、地上に降ろして配置され、内部のトイレ施設（２）及び休憩・救急医療施設（３）を身体障害者の利用に供する。
【実施例】  この実施例は、次の通りである。【００３１】  この装置は、身体障害者の野外活動を支援するために、休憩・救急医療施設（３）及びトイレ施設（２）を内部に設置したコンテナー（１）である。【００３２】  先ず、この装置は、貨物自動車（１９）の荷台に搭載しかつ積降しできるコンテナー（１）であって、しかも、身体障害者の利用できるトイレ施設（２）及び休憩・救急医療施設（３）を有するものである。【００３３】  このコンテナー（１）は、スチール製の枠組を構築し、かつ、この枠組に屋根・壁・床を形成する外部構造である。【００３４】  枠組は、スチール製の素材を用いて、基礎柱を縦横に連結し、かつ、この基礎柱に支柱を林立し、また、その支柱の頭に梁を架して構築する。【００３５】  屋根や壁は、この枠組の支柱及び梁に、断熱効果のあるパネル板を張って形成し、また、床は、滑り止め処理のアルミ板を水平に張って、バリアフリーとする。【００３６】  外壁の両側に室外灯（２２）を設置し、また、屋根にソーラーパネル（２３）を設置し、かつ、太陽光発電した電力を室内外灯（２１）（２２）及びエアコン（８）に供給する。【００３７】  これに対し、このコンテナー（１）は、アコーディオンカーテン（１３）をもって、前室と後室に区割りし、かつ、物入れ（１８）を有する内部構造である。【００３８】  前室は、トイレ施設（２）及び予備施設である。トイレ施設（２）の上部は、洋式便器（４）を主とし、かつ、その両側に介護用の手すり（７）、背後にエアコン（８）、天井に室内灯（２１）を配置する。【００３９】  トイレ施設（２）の下部は、ステンレス製の便槽（５）を設置する。これは、大小便を汲み取るのではなく、バイオ処理方式を採用する。【００４０】  ヒーターの加熱及びスクリュウの回転をもって、大鋸屑に吸収された大小便を発酵させ、また、これから生ずるガスを排気筒（６）より排出する。【００４１】  そうすると、臭気は便層から周囲にほとんど漏れないし、また、排出口より大鋸屑を取出して、農業用の堆肥として利用できる。【００４２】  一般廃棄物の運搬中、飛散・流出・異臭漏れを防止する「廃棄物処理及び清掃に関する法律施行令」（昭和４６年９月２３日政令第三）第３条に適合するものである。【００４３】  予備施設は、洗面器（９）と鏡（１０）を内壁に装置し、また、ＡＥＤを始め、救急医療セット（１１）を常備する設備を置き、かつ、折畳式のイスやベッド（１２）を格納する。【００４４】  物入れ（１８）は、三段の棚からなり、下段にバッテリーやチャージ機、中段に発電機や配電盤、上段に工具類を納める。【００４５】  後室は、トイレ施設（２）を利用する通路となり、また、折畳式のイスやベット（１２）を使用して休憩し、あるいは、ＡＥＤを始め救急医療セット（１１）をもって処置をする場所となる。【００４６】  後室の一方の側面にスライド式の引戸付の掃出窓（１４）を開け、他方の側面に小窓（１５）を開け、また、後部にシャッター付の開口部（１６）を開ける。【００４７】  後室には、折畳式の階段を配置し、また、車椅子の乗降を容易にするために、折畳式かつ全自動型のカーリフト（１７）を壁面に寄せて設置する。【００４８】  次に、コンテナー（１）は���図２のように、貨物自動車（１９）の荷台に搭載された状態で、あるいは、図３のように、地上に降ろして配置された状態で、トイレ施設等を身体障害者の利用に供する。【００４９】  前者は、身体障害者が道路等の場所の移動を伴う野外活動に随行して対応し、後者は、公園・広場等の一定の場所における野外活動に対応するものである。【００５０】  図２のように、コンテナー（１）を貨物自動車に搭載した状態では、身体障害者は、折畳式の階段を登り、開口部（１６）のシャッターを開け、後室を出入りする。【００５１】  図３のように、コンテナー（１）を地上に配置した状態では、身体障害者は、掃出窓（１４）の引戸をスライドして開けて、後室を出入りする。【００５２】  貨物自動車（１９）からクレーンをもってコンテナー（１）を揚げ降ろし、また、コンテナー（１）と荷台の止め具（２０）をはめて固定し、あるいは、止め具（２０）を解き外しをなす。
【図面の簡単な説明】
【００５３】
【図１】  本考案のコンテナーの横断面図である。
【図２】  本考案のコンテナーの貨物自動車上の利用図である。
【図３】  本考案のコンテナーの地上の利用図である。
【符号の説明】
【００５４】  １    コンテナー
２    トイレ施設
３    休憩・救急医療施設
４    便器
５    便槽
６    排気筒
７    手すり
８    エアコン
９    手洗
１０    鏡
１１    医療セット
１２    ベッド・イス
１３    カーテン
１４    掃出窓
１５    窓
１６    開口部
１７    カーリフト
１８    物入れ
１９    貨物自動車
２０    とめ具
２１    室内灯
２２    室外灯
２３    ソーラーパネル
【図１】
0003159200.tif 000003
【図２】
0003159200.tif 000004
【図３】
0003159200.tif 000005